(57)【要約】【課題】  本発明は高速回転されるディスクをトレーの移動によりイジェクトする際にディスクの回転を停止させることを課題とする。【解決手段】  ＣＤ−ＲＯＭドライブ装置１１は、シャーシ１８の右側に延在する延在部１８ｂに起立する側面１８ｃの内側に、イジェクト動作時にディスクＤＡの外周に摺接する制動部材５１が固着されている。この制動部材５１は、フエルト又はスポンジ等の柔らかい材質のものが使用されており、ディスクＤＡの外周を傷つけることはない。また、制動部材５１は、トレー１２が装置内に装着されているとき、ディスクＤＡの外周から離間する位置に設けられており、トレーガイド機構１７及びピックアップ部２３の動作を妨げることはない。ディスクＤＡは、トレー１２のイジェクト動作過程で制動部材１３との摩擦により制動され、停止した状態でディスク交換位置に引き出される。【選択図】        図９
2004281048.tif 000002
【特許請求の範囲】
【請求項１】
シャーシと、
記録媒体としてのディスクを保持して回転するディスク保持回転手段、及び該ディスクに記憶された情報を読み取る読み取りヘッドが設けられたトレーと、
該トレーの側面に摺動自在に係合するスライドレールと、前記シャーシに一体的に設けられ前記スライドレールを摺動自在に保持するガイド部を有し、前記トレーをディスクに記憶された情報を読み取る装着位置とディスクを交換する交換位置との間を移動自在に支持するトレーガイド機構と、
を備えてなるディスク装置において、
前記トレー及び前記トレーガイド機構は、ディスクの一部が前記トレーガイド機構の外側にはみ出るようにディスク外径よりも横幅寸法が小さくなるように形成され、
前記シャーシは、前記トレーガイド機構の外側にはみ出たディスクを収容する拡張部を有しており、
前記トレーガイド機構の外側にはみ出た前記シャーシの前記拡張部に設けられ、前記トレーが装着位置に位置したときに前記ディスクから離間し、前記トレーが装着位置から交換位置に移動する過程で前記ディスクの前記トレーガイド機構から外側にはみ出た部位の外周に接触する制動部材と、
を具備してなり、
前記ディスクは、前記ディスク保持回転手段に保持された状態で前記トレーが装着位置から交換位置へと移動するときに、前記トレーガイド機構からはみ出た部位の外周が前記シャーシの前記拡張部に設けられた前記制動部材に接触して制動されることを特徴とするディスク装置。
【請求項２】
前記請求項１のディスク装置であって、
前記制動部材は、前記ディスクの外周に摺接する位置に設けられ、
前記トレーガイド機構は、前記制動部材から離間するように前記ディスクの半径方向の途中位置に対向するように配置されたことを特徴とするディスク装置。
【発明の詳細な説明】
【技術分野】
【０００１】
本発明はディスク装置に係り、特にトレーに装着されたディスクを高速回転させてディスクの記録面に記録された情報を読み取るよう構成されたディスク装置に関する。
【背景技術】
【０００２】
例えばデータベースやソフトウエアなどの情報を記憶させる記憶媒体として、レーザ式ピックアップにより再生されるコンパクトディスクが使用されている。そのため、小型化されたノート型パソコン等にも組み込めるように、ノート型パソコンの筐体内に内蔵される内蔵形ＣＤ−ＲＯＭドライブ装置の開発が行われている。
【０００３】
図１４は従来のディスク装置としての内蔵形ＣＤ−ＲＯＭドライブ装置の一例を示す平面図である。
【０００４】
この種の装置では、ディスク（図示せず）を装着されたトレー１が前後方向（Ａ，Ｂ方向）に摺動自在に設けられており、手動操作によりトレー１を摺動させる構成となっている。また、トレー１の開口１ａの下側には、ディスクをクランプしてスピンドルモータ（図示せず）に回転駆動されるターンテーブル２、及びディスクに記録された情報を光学的に検出するピックアップ部３が取り付けられている。
【０００５】
従来の装置に組み込まれたイジェクト機構は、トレー１の前面ベゼル１ｂに設けられたイジェクト釦４の押圧操作によりイジェクト動作する構成であり、トレー１が装着されているときはトレー１の下面に支持された係止レバー５がシャーシ１０上に設けられたピン６に係止される構成となっている。
【０００６】
この係止レバー５は、Ｌ字状に形成され、一端にピン６を係止する鉤状の係止部５ａを有し、他端にイジェクト釦４に当接する当接部５ｂを有する。また、係止レバー５は、軸５ｃにより回動自在に支持され、コイルバネ７により時計方向、すなわちピン６を係止する方向に附勢されている。
【０００７】
さらに、トレー１の後部には、トレー１をＡ方向に押圧する押圧機構が設けられている。この押圧機構は、トレー１を引き出しやすくするためにトレー１をＡ方向に所定距離だけ移動させるものであり、トレー１の下面に突出する突部１ｃに摺動自在に取り付けられた押圧レバー８がコイルバネ９によりＢ方向に附勢される構成となっている。
【０００８】
そして、押圧機構は、トレー１を装置内に装着させる過程で押圧レバー８の端部８ａがシャーシ１０の後部内壁１０ａに当接するため、トレー１の装着動作によりトレー１の後方に突出する端部８ａの突出長さ分だけコイルバネ９が相対的に引っ張られることになる。
【０００９】
図１５に示されるように、イジェクト釦４が押圧操作されると、係止レバー５が係止解除方向（反時計方向）に回動してトレー１の下方のシャーシ１０側に植設されたピン６の係止を解除する。このように、イジェクト釦４の押圧操作により係止レバー５が係止解除動作すると、コイルバネ９に附勢された押圧レバー８がシャーシ１０の後部内壁１０ａを押圧しているため、その反力によりトレー１はイジェクト方向（Ａ方向）に押し出される。
【００１０】
図１６に示されるように、上記イジェクト動作によりトレー１は、前面ベゼル１ｂがシャーシ１０から所定距離Ｌだけ離間し、トレー１を引き出すことができる程度まで押し出される。その後、操作者はトレー１を装着されたディスクが露出する所定のディスク交換位置に引き出してディスク交換を行う（例えば、特許文献１参照）。
【特許文献１】特開平７−２５４２０１号公報
【発明の開示】
【発明が解決しようとする課題】
【００１１】
上記のように構成された従来の内蔵形ＣＤ−ＲＯＭドライブ装置では、イジェクト釦４が押圧操作されると、ディスク駆動用のスピンドルモータへの電源供給を停止するが、ターンテーブル及びモータの回転子が慣性により回転している。そのため、従来の装置では、ディスク駆動用のスピンドルモータを逆起電力により制動してディスクが載置されたターンテーブルを停止させるようにしていた。そして、ディスクは慣性による回転を停止された状態でイジェクトされる。
【００１２】
しかしながら、内蔵形ＣＤ−ＲＯＭドライブ装置においては、情報の読み込み速度を高めるため、ディスクの回転速度を６倍または８倍に増速することが進められている。このようにディスクの回転速度を６倍または８倍にした場合、イジェクト時にディスクが停止するまでの時間が長くなる。そのため、ディスクに記録された情報の読み込みが終了した後、イジェクト釦４を押圧操作すると、ディスクが停止する前にトレー１がイジェクト方向に移動されるため、慣性により回転したままディスクがイジェクトされてしまうといった問題が生ずる。
【００１３】
そこで、本発明は上記課題を解決したディスク装置を提供することを目的とする。
【課題を解決するための手段】
【００１４】
上記請求項１の発明は、シャーシと、
記録媒体としてのディスクを保持して回転するディスク保持回転手段、及び該ディスクに記憶された情報を読み取る読み取りヘッドが設けられたトレーと、
該トレーの側面に摺動自在に係合するスライドレールと、前記シャーシに一体的に設けられ前記スライドレールを摺動自在に保持するガイド部を有し、前記トレーをディスクに記憶された情報を読み取る装着位置とディスクを交換する交換位置との間を移動自在に支持するトレーガイド機構と、
を備えてなるディスク装置において、
前記トレー及び前記トレーガイド機構は、ディスクの一部が前記トレーガイド機構の外側にはみ出るようにディスク外径よりも横幅寸法が小さくなるように形成され、
前記シャーシは、前記トレーガイド機構の外側にはみ出たディスクを収容する拡張部を有しており、
前記トレーガイド機構の外側にはみ出た前記シャーシの前記拡張部に設けられ、前記トレーが装着位置に位置したときに前記ディスクから離間し、前記トレーが装着位置から交換位置に移動する過程で前記ディスクの前記トレーガイド機構から外側にはみ出た部位の外周に接触する制動部材と、
を具備してなり、
前記ディスクは、前記ディスク保持回転手段に保持された状態で前記トレーが装着位置から交換位置へと移動するときに、前記トレーガイド機構からはみ出た部位の外周が前記シャーシの前記拡張部に設けられた前記制動部材に接触して制動されることを特徴とするとするものである。
【００１５】
上記請求項２の発明は、前記請求項１のディスク装置であって、
前記制動部材は、前記ディスクの外周に摺接する位置に設けられ、
前記トレーガイド機構は、前記制動部材から離間するように前記ディスクの半径方向の途中位置に対向するように配置されたことを特徴とするものである。
【発明の効果】
【００１６】
従って、請求項１記載の発明によれば、ディスクがディスク保持回転手段に保持された状態でトレーが装着位置から交換位置へと移動するときに、トレーガイド機構からはみ出た部位の外周がシャーシの拡張部に設けられた制動部材に接触して制動されるため、ディスクに記録された情報を高速で読み取るためにディスクが高速回転で駆動されていてもディスクを停止させた状態でイジェクトすることができる。さらに、制動部材がトレー及びトレーガイド機構から十分に離間した位置に配されるので、制動部材がトレーに接触することを確実に防止できる。
【００１７】
また、請求項２記載の発明によれば、制動部材がディスクの外周に摺接する位置に設けられ、トレーガイド機構が制動部材から離間するようにディスクの半径方向の途中位置に対向するように配置されたため、制動部材とトレーガイド機構とが十分に離間して接触しないように配置することが可能になる。
【発明を実施するための最良の形態】
【００１８】
以下、図面と共に本発明の一実施例について説明する。
【００１９】
図１は本発明になるディスク装置の前提例としてのＣＤ−ＲＯＭドライブ装置の外観を示す。
【００２０】
ＣＤ−ＲＯＭドライブ装置１１（以下「装置」と称する）は、ノート型パソコン（図示せず）の筐体に内蔵される内蔵形の装置である。
【００２１】
この装置１１は、記録媒体としてのディスクＤＡ（一点鎖線で示す）を向かい入れるためのトレー１２が前後方向（Ａ，Ｂ方向）に摺動自在に設けられている。トレー１２は、ディスク装着時にはＢ方向に摺動して装置１１内に収納された状態で係止される。また、トレー１２の前面ベゼル１５には、横方向に延在する長方形の取付孔１５ａが設けられている。
【００２２】
１４はイジェクト操作用つまみで、トレー１２の前面ベゼル１５の取付孔１５ａに沿って摺動自在に取り付けられている。このイジェクト操作用つまみ１４は、通常Ｄ方向に附勢されており、トレー１２をイジェクトする際にＣ方向に摺動操作される。
【００２３】
イジェクト操作用つまみ１４は、摺動操作される構成であるので、例えば操作者がノート型パソコンのキーボード（図示せず）を操作する際に誤ってイジェクト操作用つまみ１４に触れたとしてもイジェクト操作用つまみ１４をＣ方向に摺動させることはできず、トレー１２をイジェクトすることはできない。
【００２４】
トレー１２の上方を覆う天板１９の前側下面には、イジェクト動作時にディスクＤＡのレーベル側上面（非記録面）に摺接してディスクＤＡを制動する一対の制動部材１３（破線で示す）が設けられている。この制動部材１３は、例えばフエルト又はスポンジ等の柔らかい材質のものが使用されており、ディスクＤA の表面を傷つけることはない。また、制動部材１３は、ディスクＤA のイジェクト方向（Ａ方向）と直交する左右方向（Ｃ，Ｄ方向）に延在するように形成されており、ディスクＤＡを制動するのに十分な接触面積が確保されている。
【００２５】
そして、後述するようにイジェクト操作用つまみ１４をＣ方向に摺動させてトレー１２がＡ方向にイジェクトされ、操作者がトレー１２の前面ベゼル１５をＡ方向に引くことにより、ディスクＤＡの上面が一対の制動部材１３に摺接する。そのため、トレー１２のイジェクト動作過程でディスクＤＡの回転が制動部材１３との摩擦により制動され、ディスクＤＡは停止した状態でトレー１２と共にディスク交換位置に引き出される。
【００２６】
図２はＣＤ−ＲＯＭドライブ装置１１の構成を示す分解斜視図である。
【００２７】
ＣＤ−ＲＯＭドライブ装置１１は、上記トレー１２と、トレー１２の下面に固定された駆動ユニット１６と、トレー１２の摺動動作をガイドするトレーガイド機構１７と、トレー１２を支持するシャーシ１８と、装着されたトレー１２の上方を覆うようにシャーシ１８に固定される天板１９とよりなる。この天板１９の前側下面には、イジェクト動作時にディスクＤＡの上面に摺接する一対の制動部材１３（破線で示す）が固着されている。
【００２８】
トレー１２は、ディスク（図示せず）の一部がトレー１２からはみ出るようにディスク外径よりも横幅寸法が小さくなるように形成されており、手動操作によりＡ，Ｂ方向に摺動してディスク交換位置又はディスク装着位置に至る。そのため、装置１１には、トレー１２をＡ，Ｂ方向に駆動するための駆動機構（モータ及び伝達機構等よりなる）が設けられてなく、その分部品点数が減少しているため、小型化及び薄型化が図られている。
【００２９】
また、トレー１２の下面前部には、イジェクト操作用つまみ１４のスライド操作により動作するイジェクト機構２０が設けられ、トレー１２の下面後部には、トレー１２をイジェクト方向（Ａ方向）に押圧する押圧機構２１が設けられている。
【００３０】
上記駆動ユニット１６は、トレー１２の下面に固定されるベース２２と、ベース２２に取り付けられたピックアップ部２３と、ピックアップ部２３をディスク半径方向に移動させるピックアップ駆動部２４と、スピンドルモータ２５により回転駆動されるターンテーブル２６と、ピックアップ部２３とスピンドルモータ２５の基板２７とを接続するフレキシブル配線板２８とよりなる。
【００３１】
トレーガイド機構１７は、上記トレー１２の両側面に設けられた係合部２９，３０に摺動自在に係合するスライドレール３１，３２と、シャーシ１８の側面内壁に固定されスライドレール３１，３２を摺動自在に保持するガイド部材３３，３４とを有する。
【００３２】
このトレーガイド機構１７は、トレー１２がＡ方向に引き出されると共にスライドレール３１，３２も同方向にスライドする。そのため、イジェクト操作により引き出されたトレー１２は、スライドレール３１，３２を介してガイド部材３３，３４に保持されながらイジェクト位置に摺動する。
【００３３】
図３はトレー１２が装着位置に係止された状態のイジェクト機構２０及び、押圧機構２１を示す平面図である。
【００３４】
ディスクＤＡがターンテーブル２６にクランプされた後、トレー１２が装着位置に移動すると、装置内の装着位置に係止される。その際、ディスクＤＡは一対の制動部材１３を通過して装着位置に至る。しかしながら、ディスクＤＡが装着位置にあるときは一対の制動部材１３から離間しており、一対の制動部材１３はピックアップ部２３の読み取り動作を妨げることはない。
【００３５】
本実施例の装置１１に組み込まれたイジェクト機構２０は、トレー１２の前面ベゼル１５に設けられたイジェクト操作用つまみ１４のスライド操作によりイジェクト動作する構成であり、トレー１２の下面に設けられＣ，Ｄ方向に摺動自在に支持された係止部材４１と、係止部材４１をＤ方向に附勢するコイルバネ４２と、シャーシ１８に植設されたピン４３とよりなる。
【００３６】
係止部材４１は、イジェクト操作用つまみ１４が連結される連結部４１ａと、トレー１２の下面に突出する一対の突部４４に係合して摺動方向（Ｃ，Ｄ方向）を規制される摺動孔４１ｂと、ピン４３に係止される鉤状の係止部４１ｃと、コイルバネ４２の一端が掛止されるバネ掛止部４１ｄとを有する。尚、コイルバネ４２の他端は、シャーシ１８上に起立するバネ掛止部４５に掛止されている。
【００３７】
そのため、係止部材４１は、トレー１２の移動方向（Ａ，Ｂ方向）と直交するＣ，Ｄ方向に摺動可能に支持されており、コイルバネ４２のバネ力により係止部４１ｃがピン４３に係止される位置に保持されている。よって、イジェクト操作用つまみ１４がＣ方向にスライド操作されると、係止部材４１は同方向に摺動して係止部４１ｃがピン４３から離間する係止解除位置に至る。
【００３８】
従って、イジェクト機構２０は、トレー１２が装置内に装着されているときはトレー１２の下面に支持された係止部材４１の係止部４１ｃがシャーシ１８上に設けられたピン４３に係止されることによりトレー１２を装着位置に係止することができる。
【００３９】
また、トレー１２をイジェクト方向（Ａ方向）に押圧する押圧機構２１は、トレー１２をディスク交換位置に引き出しやすくするためにトレー１２をＡ方向に所定距離だけ移動させるものである。この押圧機構２１は、トレー１２の下面に突出する一対の突部４６に摺動自在に取り付けられた押圧レバー４７がコイルバネ４８によりＢ方向に附勢される構成となっている。
【００４０】
尚、コイルバネ４８は、一端が押圧レバー４７の前側端部のバネ掛止部４７ｂに掛止され、他端がトレー１２の下面に設けられたバネ掛止ピン４９に掛止されている。そして、コイルバネ４８は、イジェクト操作用つまみ１４及び係止部材４１のスライド方向であるＣ，Ｄ方向と直交するＡ方向にトレー１２を押圧するように設けられている。そのため、イジェクト操作用つまみ１４及び係止部材４１は、コイルバネ４８のバネ力によりスライドできないように取り付けられている。
【００４１】
そして、押圧機構２１は、トレー１２が装置内に装着される過程で押圧レバー４７の後側の端部４７ａがシャーシ１８の後部内壁１８ａに当接するため、トレー１２の装着動作によりトレー１２の後方に突出する端部４７ａの突出長さ分だけコイルバネ４８が相対的に引っ張られることになる。そのため、トレー１２が装置内に装着された状態では、押圧レバー４７はコイルバネ４８のバネ力によりシャーシ１８の後部内壁１８ａを押圧し、その反力によりトレー１２をイジェクト方向（Ａ方向）に押圧している。
【００４２】
ここで、上記イジェクト機構２０及び押圧機構２１の動作を説明する。図４はイジェクト操作用つまみ１４がスライド操作された状態を示す平面図であり、図５はトレー１２がイジェクト方向に押し出された状態を示す平面図ある。
【００４３】
図４に示されるように、イジェクト操作用つまみ１４がＣ方向にスライド操作されると、係止部材４１も同方向にスライドして鉤状の係止部４１ｃがシャーシ１８に植設されたピン４３から離間して係止を解除する。
【００４４】
このように、イジェクト操作用つまみ１４のスライド操作により係止部材４１が係止解除動作すると、押圧機構２１の押圧レバー４７がコイルバネ４８のバネ力によりシャーシ１８の後部内壁１８ａを押圧しているため、その反力によりトレー１２はイジェクト方向（Ａ方向）に押し出される。
【００４５】
上記イジェクト動作によりトレー１２は、前面ベゼル１５がシャーシ１０から所定距離Ｌだけ離間した位置に摺動する。これにより、トレー１２は、操作者が引き出すことができる程度まで押し出される。このとき、ディスクＤＡは、まだ天板１９の下面に設けられた一対の制動部材１３に摺接していない。
【００４６】
図５に示されるように、イジェクト操作用つまみ１４から手を離すと、イジェクト操作用つまみ１４及び係止部材４１は、コイルバネ４２のバネ力によりＤ方向に復帰する。そのため、ディスク交換後にトレー１２の前面ベゼル１５がＢ方向に押圧操作された場合、係止部材４１の鉤状の係止部４１ｃの傾斜部分がシャーシ１８上に設けられたピン４３に摺接してＣ方向に摺動し、傾斜部分がピン４３を通過すると再びＤ方向に復帰することができる。
【００４７】
図６はトレー１２が引き出される過程を示す平面図、図７は図６中VII-VII 線に沿う縦断面図、図８はトレー１２がディスク交換位置まで引き出された状態を示す平面図である。
【００４８】
図６に示されるように、上記イジェクト操作の後、操作者はシャーシ１８より突出した前面ベゼル１５を把持してＡ方向に引くことにより、トレー１２が両側を支持するスライドレール３１，３２の摺動動作と共にスライドレール３１，３２を介してガイド部材３３，３４に保持されながら摺動する。
【００４９】
図７に示されるように、トレー１２の摺動動作によりディスクＤＡは、天板１９の下面に設けられた一対の制動部材１３に摺接する。そのため、慣性により回転していたディスクＤＡは、その上面が一対の制動部材１３に摺接することにより制動される。そして、ディスクＤＡは、一対の制動部材１３との摩擦により回転が停止した状態となる。
【００５０】
図８に示されるように、トレー１２がターンテーブル２６上に装着されたディスク全体が露出するディスク交換位置に至ると共に、一対の制動部材１３を通過したディスクＤＡが回転を停止された状態でイジェクトされる。これで、トレー１２に装着されたディスクＤＡを容易に取り外すことができ、ディスク交換が行える。
【００５１】
また、ディスク交換後は、トレー１２の前面ベゼル１５をＢ方向に押圧操作することにより、係止部材４１の鉤状の係止部４１ｃの傾斜部分がシャーシ１８上に設けられたピン４３に摺接してＣ方向に摺動し、傾斜部分がピン４３を通過すると再びＤ方向に復帰するため、係止部材４１の係止部４１ｃがピン４３に係止される。そのため、トレー１２は図３に示す元の装着位置に復帰すると共に、当該装着位置に係止される。
【００５２】
図９は本発明の一実施例を示す斜視図、図１０はトレーが装着位置に係止された状態を示す平面図である。
【００５３】
シャーシ１８の右側に延在する延在部１８ｂ（拡張部）に起立する側面１８ｃの内側には、イジェクト動作時にディスクＤＡの外周に摺接する制動部材５１が固着されている。この制動部材５１は、例えばフエルト又はスポンジ等の柔らかい材質のものが使用されており、ディスクＤＡの外周を傷つけることはない。
【００５４】
また、制動部材５１は、トレー１２が装置内に装着されているとき、ディスクＤＡの外周から離間する位置に設けられており、ピックアップ部２３の読み取り動作及びトレーガイド機構１７の動作を妨げることはない。
【００５５】
図１１はトレー１２のイジェクト動作を説明するための平面図、図１２は図１１中VII-VII線に沿う縦断面図、図１３はディスクＤＡの外周が制動部材５１に摺接した状態を示す平面図である。
【００５６】
図１１に示されるように、イジェクト操作用つまみ１４がＣ方向にスライド操作されると、係止部材４１の係止部４１ｃがシャーシ１８に植設されたピン４３から離間して係止を解除する。そして、係止部材４１が係止解除動作すると、押圧機構２１の押圧レバー４７がコイルバネ４８のバネ力によりシャーシ１８の後部内壁１８ａを押圧しているため、その反力によりトレー１２はイジェクト方向（Ａ方向）に押し出される。
【００５７】
上記イジェクト動作によりトレー１２は、前面ベゼル１５がシャーシ１０から所定距離Ｌだけ離間した位置に摺動する。これにより、トレー１２は、操作者が引き出すことができる程度まで押し出される。
【００５８】
このように、図１１及び図１２に示されるように、トレー１２が装置内の装着位置からイジェクト位置にイジェクトされると、ディスクＤＡは外周がシャーシ１８の側面１８ｃ内側に設けられた制動部材５１に摺接する。そのため、慣性により回転していたディスクＤＡは、その外周が制動部材５１に摺接することにより制動される。そして、ディスクＤＡは、制動部材５１との摩擦により回転が停止した状態となる。
【００５９】
本実施例では、制動部材５１がディスクＤＡの外周に摺接するため、上記前提例のようにディスクＤＡの上面に摺接させる構成よりも、制動トルクが大きくなり、高速回転するディスクＤＡでも短時間で回転を停止させることができる。
【００６０】
図１３に示されるように、イジェクト操作用つまみ１４から手を離すと、イジェクト操作用つまみ１４及び係止部材４１は、コイルバネ４２のバネ力によりＤ方向に復帰する。そのため、ディスク交換後にトレー１２の前面ベゼル１５がＢ方向に押圧操作された場合、係止部材４１の鉤状の係止部４１ｃの傾斜部分がシャーシ１８上に設けられたピン４３に摺接してＣ方向に摺動し、傾斜部分がピン４３を通過すると再びＤ方向に復帰することができる。
【００６１】
上記イジェクト操作の後、操作者はシャーシ１８より突出した前面ベゼル１５を把持してＡ方向に引くことにより、トレー１２が両側を支持するスライドレール３１，３２の摺動動作と共にスライドレール３１，３２を介してガイド部材３３，３４に保持されながら摺動する。
【００６２】
トレー１２がターンテーブル２６上に装着されたディスク全体が露出するディスク交換位置に至ると共に、制動部材５１を通過したディスクＤA が回転を停止された状態でイジェクトされる。これで、トレー１２に装着されたディスクＤA を容易に取り外すことができ、ディスク交換が行える。
【００６３】
また、ディスク交換後は、トレー１２の前面ベゼル１５をＢ方向に押圧操作することにより、係止部材４１の鉤状の係止部４１ｃの傾斜部分がシャーシ１８上に設けられたピン４３に摺接してＣ方向に摺動し、傾斜部分がピン４３を通過すると再びＤ方向に復帰するため、係止部材４１の係止部４１ｃがピン４３に係止される。そのため、トレー１２は図１０に示す元の装着位置に復帰すると共に、当該装着位置に係止される。
【００６４】
このようにトレー１２を装置内に装着する場合、トレー１２がＢ方向に摺動すると共にディスクＤＡの外周が制動部材５１に摺接する。その際、ディスクＤＡはトレー１２の装着動作と共に制動部材５１を乗り越えるように回動することができるので、トレー１２に作用する負荷が軽減される。そのため、上記前提例のように制動部材をディスクＤＡの上面に摺接させる構成よりも、トレー１２の装着操作が容易に行える。
【産業上の利用可能性】
【００６５】
尚、本発明は、上記実施例のようなＣＤ−ＲＯＭドライブ装置に限らず、他のディスク状記録媒体、例えば、ＣＤ、磁気ディスク、光磁気ディスク、光ディスクの場合にも、同様に適用される。
【００６６】
また、本発明のディスク装置は、ノート形パソコンの筐体内に収納される構成を一例として説明したが、これに限らず、デスクトップ形パソコン等の他の電子機器は勿論、電子機器とは別体の外部機器として使用される構成の装置にも適用できる。
【００６７】
また、上記実施例では、トレーが手動操作により移動したが、これに限らず、本発明がモータ等の駆動手段によりトレーを移動させる構成の装置にも適用できるのは勿論である。
【図面の簡単な説明】
【００６８】
【図１】本発明になるディスク装置の前提例が適用されたＣＤ−ＲＯＭドライブ装置の斜視図である。
【図２】ＣＤ−ＲＯＭドライブ装置の分解斜視図である。
【図３】トレーが装置内に装着された状態の平面図である。
【図４】イジェクト操作による動作を説明するための平面図である。
【図５】イジェクト操作後のイジェクト操作用つまみが復帰された状態の平面図である。
【図６】トレーが引き出される過程を示す平面図である。
【図７】図６中VII-VII線に沿う縦断面図である。
【図８】トレーがディスク交換位置まで引き出された状態を示す平面図である。
【図９】本発明の一実施例を示す斜視図である。
【図１０】トレーが装着位置に係止された状態を示す平面図である。
【図１１】トレーのイジェクト動作を説明するための平面図である。
【図１２】図１１中VII-VII線に沿う縦断面図である。
【図１３】ディスクＤＡの外周が制動部材に摺接した状態を示す平面図である。
【図１４】従来の内蔵形ＣＤ−ＲＯＭドライブ装置の一例を示す平面図である。
【図１５】従来のイジェクト機構のイジェクト動作を説明するための平面図である。
【図１６】図１５に続いて従来のイジェクト機構のイジェクト動作を説明するための平面図である。
【符号の説明】
【００６９】
１１  ＣＤ−ＲＯＭドライブ装置
１２  トレー
１３，５１  制動部材
１４  イジェクト操作用つまみ
１５  前面ベゼル
１６  駆動ユニット
１７  トレーガイド機構
１８  シャーシ
１９  天板
２０  イジェクト機構
２１  押圧機構
２２  ベース
２３  ピックアップ部
２４  ピックアップ駆動部
２５  スピンドルモータ
２６  ターンテーブル
３１，３２  スライドレール
３３，３４  ガイド部材
４１  係止部材
４２  コイルバネ
４３  ピン
４７  押圧レバー
４８  コイルバネ
【図１】
2004281048.tif 000003
【図２】
2004281048.tif 000004
【図３】
2004281048.tif 000005
【図４】
2004281048.tif 000006
【図５】
2004281048.tif 000007
【図６】
2004281048.tif 000008
【図７】
2004281048.tif 000009
【図８】
2004281048.tif 000010
【図９】
2004281048.tif 000011
【図１０】
2004281048.tif 000012
【図１１】
2004281048.tif 000013
【図１２】
2004281048.tif 000014
【図１３】
2004281048.tif 000015
【図１４】
2004281048.tif 000016
【図１５】
2004281048.tif 000017
【図１６】
2004281048.tif 000018